(57)【要約】【課題】媒体間の隙間を広げることにより、誤計数の可能性を小さくした媒体取扱装置を提供することを目的とする。【解決手段】カセット１１内に積載板１２が設けられ、積載板１２上に複数の証書２が積層状態で載置されている。積載板１２の下方には媒体背押し部１３が設けられている。媒体背押し部１３はモータ２２の回転により上昇可能で、押圧子１３ａが証書２を下方から押し上げる。証書２が押し上げられると、証書２の下端部２ｂは証書間の隙間が大きくなり、光学反射センサ５により計数をより確実に行うことが可能となる。【選択図】  図１
2007293710.tif 000002
【特許請求の範囲】
【請求項１】
複数の媒体を積層した積層媒体の枚数を計数する媒体取扱装置において、
前記積層媒体の一端部を固定する固定手段と、
前記積層媒体の他端部に光を照射し、該他端部から反射した光により積層媒体の枚数を計数する計数手段と、
前記積層媒体を付勢することにより前記他端部における媒体間の隙間を大きくする媒体付勢部材と、
前記付勢部材による前記積層媒体に対する付勢力を大きくする方向又は小さくする方向に、前記媒体付勢部材を移動する移動手段とを設けたことを特徴とする媒体取扱装置。
【請求項２】
前記移動手段は、前記積層媒体の枚数に応じて前記媒体付勢部材を移動する請求項１記載の媒体取扱装置。
【請求項３】
前記積層媒体の枚数を記憶する記憶手段を有し、
前記記憶手段に記憶してある枚数値と前記計数手段により計数した計数値とを比較し、両者が一致しない場合に、前記移動手段により前記媒体付勢部材を移動させて前記計数手段により再度前記積層媒体を計数する請求項１または請求項２記載の媒体取扱装置。
【請求項４】
複数の媒体を積層した積層媒体の枚数を計数する媒体取扱装置において、
前記積層媒体の一端部を固定する固定手段と、
前記積層媒体の他端部に光を照射し、該他端部から反射した光により積層媒体の枚数を計数する計数手段と、
前記積層媒体を付勢することにより前記他端部における媒体間の隙間を大きくする媒体付勢部材と、
前記媒体付勢部材を前記積層媒体の前記一端部の方向または前記他端部の方向に移動する移動手段を設けたことを特徴とする媒体取扱装置。
【請求項５】
前記移動手段は、媒体の大きさに応じて前記媒体付勢部材を移動する請求項４記載の媒体取扱装置。
【発明の詳細な説明】
【技術分野】
【０００１】
本発明は、紙幣や証書などの媒体を複数枚積層した状態で媒体の枚数を計数する媒体取扱装置に関する。
【背景技術】
【０００２】
従来、紙幣などの媒体を計数する方法として、例えば紙幣の場合は１枚ずつ繰出し搬送させ、搬送の途中で光学センサで紙幣の１枚ずつの通過を検出して計数を行う方法と、媒体を複数枚積層した状態で、媒体の端部に発生するずれを光学センサで検出することにより計数する方法がある。後者の計数方法を示す例として、例えば、特開平８−７７２６８号公報に開示されるものがある。
【０００３】
上記公報に開示される技術は、媒体として通帳を計数するものである。通帳は、例えば証書などに較べて背部の形状が丸みを帯び、背部の頂部とその両側ではセンサからの距離が異なる。したがって上記文献に開示される技術は、通帳の計数に適するもので、証書の計数には不向きであった。そして証書などの媒体を積層した状態で計数するには、媒体の端部をずらすことにより端部に陰影をつけて光学センサで検出するようにしている。図１２に従来の媒体（証書）の計数方法を示す。以下、図にしたがって説明する。
【０００４】
図１２において、カセット１は媒体２を集積状態で収納するもので、傾斜部３ａを有する積載板３、積載板３の水平部３ｂを上方に押圧する媒体プレス部４および媒体２を計数するための光学反射センサ５が設けられている。媒体２は複数枚積載板３上に積載されている。媒体２の上端部２ａは積載板３の水平部３ｂ上に載置され、上方からアッパ部材６で押さえられている。即ち、上端部２ａはアッパ部材６と媒体プレス部４で動かないように固定されている。媒体２は積載板３の傾斜部３ａ上に載置されることにより、下端部２ｂにずれを生じる。光学反射センサ５は駆動ベルト１４により上下移動可能に設けられている。
【０００５】
図１３は従来の計数方法を示す説明図である。図１３において、光学反射センサ５は、発光素子部５ａと受光素子部５ｂとから成り、発光素子部５ａから出力した光が媒体２の端部２ｂで反射し、その反射光を受光素子部５ｂで受光する。光学反射センサ５の出力信号の波形８を右側に示す。光学反射センサ５の出力は、媒体２と媒体２間に生じる凹凸に応じて図に示すような出力幅Ｗで振幅する。即ち、媒体２からの反射光を受光した場合は出力レベルは高くなり、媒体２と媒体２の隙間からの反射光を受光した場合は出力レベルは低くなる。
【０００６】
媒体２の枚数を計数するためには、媒体２と媒体２間の隙間とを区別するためのスライスレベル７を設定する。光学反射センサ５の出力がスライスレベル７より高い場合は媒体２ありと判定し、センサ５の出力がスライスレベル７より低い場合は媒体２間の隙間であると判定して、媒体２の枚数を計数する。
【特許文献１】特開平８−７７２６８号公報
【発明の開示】
【発明が解決しようとする課題】
【０００７】
しかしながら上記従来の媒体計数装置においては、媒体同士の張り付きや、媒体の厚さによっては媒体間の隙間が無くなるか又は狭くなるので、枚数を正しく計数するための光学反射センサから出力信号が充分に得られず、誤計数する可能性があるという問題があった。
【０００８】
そこで本発明は、媒体間の隙間を広げることにより、誤計数の可能性を小さくした媒体取扱装置を提供することを目的とする。
【課題を解決するための手段】
【０００９】
上記課題を解決するために第１の発明は、複数の媒体を積層した積層媒体の枚数を計数する媒体取扱装置において、前記積層媒体の一端部を固定する固定手段と、前記積層媒体の他端部に光を照射し、該他端部から反射した光により積層媒体の枚数を計数する計数手段と、前記積層媒体を付勢することにより前記他端部における媒体間の隙間を大きくする媒体付勢部材と、前記付勢部材による前記積層媒体に対する付勢力を大きくする方向又は小さくする方向に、前記媒体付勢部材を移動する移動手段とを設けたことを特徴とするものである。
【００１０】
また第２の発明は、複数の媒体を積層した積層媒体の枚数を計数する媒体取扱装置において、前記積層媒体の一端部を固定する固定手段と、前記積層媒体の他端部に光を照射し、該他端部から反射した光により積層媒体の枚数を計数する計数手段と、前記積層媒体を付勢することにより前記他端部における媒体間の隙間を大きくする媒体付勢部材と、前記媒体付勢部材を前記積層媒体の前記一端部の方向または前記他端部の方向に移動する移動手段を設けたことを特徴とするものである。
【発明の効果】
【００１１】
第１の発明によれば、積層媒体を付勢することにより積層媒体の他端部における媒体間の隙間を大きくする媒体付勢部材を設けたことにより、媒体間の隙間を大きくなり、枚数を正しく計数するための計数手段からの出力信号が充分に得られ、誤計数する可能性を小さくすることができる。また付勢部材による積層媒体に対する付勢力を大きくする方向又は小さくする方向に、媒体付勢部材を移動する移動手段とを設けたことにより、媒体の枚数や紙質等が異なっていても媒体間の隙間を大きくすることが可能である。
【００１２】
また第２の発明によれば、積層媒体を付勢することにより積層媒体の他端部における媒体間のずれを大きくする媒体付勢部材を設けているので、上記第１の発明と同様の効果を奏するとともに、媒体付勢部材を積層媒体の一端部の方向または他端部の方向に移動する移動手段を設けたことにより、媒体の大きさが異なっていても媒体間の隙間を大きくすることが可能となる。
【発明を実施するための最良の形態】
【００１３】
以下、本発明の実施の形態を図面にしたがって説明する。各図面に共通する要素には同一の符号を付す。図１は第１の実施の形態の証書発行装置を示す概略側面図である。なお以下に説明する各実施の形態では、媒体取扱装置として証書発行装置を例にして説明する。したがって証書を媒体として説明する。
【００１４】
図１において、第１の実施の形態の証書発行装置１０には、証書２を集積状態で収納するカセット１１が設けられ、カセット１１内には、証書２が載置される積載板１２、積載板１２の水平部１２ｂを上方に押圧する媒体プレス部４、証書２を計数するための光学反射センサ５および媒体背押し部１３が設けられている。証書２は複数枚積載板１２上に積層され、証書２の上端部２ａは積載板１２の水平部１２ｂ上に載置され、そのほかの部分は傾斜部１２ａ上に載置されている。証書２の上端部２ａはアッパ部材６と媒体プレス部４で固定されている。証書２は積載板１２の傾斜部１２ａ上に載置されることにより、下端部２ｂにずれを生じる。積載板１２は支点１２ｃを中心に回動可能となっている。
【００１５】
光学反射センサ５は駆動ベルト１４に取付けられ、駆動ベルト１４はプーリ１５、１６に掛け渡されている。プーリ１６はモータ１７に取付けられており、駆動ベルト１４はモータ１７により回転し、光学反射センサ５は駆動ベルト１４の回転によりセンサガイド１４ａにガイドされて上下動する。モータ１７はセンサ駆動部１８に取付けられている。センサ駆動部１８はカセット１１の底板１１ａの下部に設けられている。またセンサ駆動部１８には証書２の下端部２ａを規制するための規制ガイド１９が設けられている。
【００１６】
媒体背押し部１３は、積載板１２に形成された切欠き孔１２ｄを通して、積層された証書２を下方から押し上げる機能を有する。図２に第１の実施の形態の積載板を示す。図２に示すように、積載板１２に形成された切欠き孔１２ｄに媒体背押し部１３が嵌入可能となっている。なお切欠き孔１２ｅは規制ガイド１９や駆動ベルト１４が嵌入する。
【００１７】
媒体背押し部１３は、押圧子１３ａ、ネジ部１３ｂおよび支持部１３ｃを有し、支持部１３ｃは媒体背押し駆動部２０に設けられている。押圧子１３ａはネジ部１３ｂの頂部に固定され、ネジ部１３ｂとともに上下動する。ネジ部１３ｂは支持部１３ｃの内部に形成された図示しないネジ部と噛み合っており、ネジ部１３ｂが回転することにより支持部１３ｃに対してネジ部１３ｂが上下動する。ネジ部１３ｂの下端部には笠歯車２１が取付けられ、笠歯車２１はモータ２２に取付けられた笠歯車２３と噛み合っている。したがってモータ２２が回転することにより、笠歯車２３、２１が回転し、それに伴ってネジ部１３ｂが上方向または下方向に移動する。
【００１８】
アッパ部材６が設けられている近傍は証書２の繰出し部２４となっている。繰出し部２４には、証書２を１枚ずつ分離するためのホッピングローラ２５、分離された証書２を下流の搬送路に繰出すための繰出しローラ２６および繰出しローラ２６に対向して設けられ、証書２の重送を防止するためのレジストローラ２７がそれぞれ回転可能に設けられている。
【００１９】
図３は第１の実施の形態の証書発行装置の概略構成を示すブロック図である。図３において、証書発行装置１０には、証書収納部３１、ホッパ部３２、証書搬送路３３、証書処理部３４、スタック部３５、リジェクト部３６、操作表示部３７、記憶部３８および制御部３９が設けられている。また証書発行装置１０は通信回線４０を介してホストサーバ４１に接続されている。
【００２０】
証書収納部３１は、図１で説明した各部が設けられる部分である。上述のように、証書収納部３１には、繰出し部２４が設けられており、証書２は繰出し部２４からホッパ部３２に繰出される。繰出された証書２はホッパ部３２を搬送され、証書搬送路３３へ送られる。
【００２１】
証書処理部３４は、証書搬送路３３に沿って配置された磁気ヘッド、印字手段等を有し、証書搬送路３３に送り込まれた証書２はこの証書処理部３４に搬送され、磁気ストライプに対する磁気データの書き込み及び読み取り、所定情報の印字処理等が行われ、必要なすべての処理が終了した後、証書２はスタック部３５に搬送され、発行される。また処理中にエラーが発生し、制御部３９で証書２に問題があると判定された場合、その証書２はリジェクト部３６に搬送されて保管される。
【００２２】
操作表示部３７は、ＬＣＤ等の表示部と、この表示部上に配置されたオペレータ操作用のタッチパネルにより構成されている。記憶部３８は、証書収納部３１に収納されている証書２の種別や残数あるいは種別の識別に用いる情報等を記憶する部分で、記憶部３８には証書発行時や証書の補充時等に操作表示部３７に表示する情報、あるいは制御プログラム等も格納されている。
【００２３】
制御部３９は、記憶部３８に記憶された制御プログラムに従ってホッパ部３２、証書搬送路３３、証書処理部３４、スタック部３５、リジェクト部３６、操作表示部３７等を制御し、証書の発行処理を実行する。また制御部３９は、外部インタフェースを有し、証書発行の際、必要に応じて外部インタフェースにより通信回線４０を介してホストサーバ４１と接続し、ホストサーバ４１とデータの授受を行って証書処理部３４に対して証書２への印字や磁気記録を実行させると共に、証書発行の際、証書収納部３１から繰出された証書２をカウントして記憶部３８に記憶されている証書２の残数を更新する。
【００２４】
ホストサーバ４１は、顧客の氏名、電話番号、支店番号、口座種別、口座番号等の顧客情報等を記憶するデータベースを管理する装置である。
【００２５】
次に第１の実施の形態の動作を図４に示すフローチャートにしたがって説明する。図４は第１の実施の形態の動作を示すフローチャートである。なおここでは、証書の残数を確認する動作を説明する。本実施の形態では、証書の新規装填時や補充時あるいは指定の時刻に、自動残数計数処理を行う。ここでは証書の補充を行った後、自動残数計数処理を行う場合について説明する。
【００２６】
証書発行装置１０の証書収納部３１に収納された証書２の残数が少なくなると、オペレータは証書収納部３１内の積載板１２上に補充証書２を載置し、証書２の補充を行う。オペレータは補充操作が完了したことを知らせるために図示しないボタンを押下する。またこのときオペレータは操作表示部３７から補充枚数を入力する。これにより制御部３９は、自動残数計数処理を開始する（ステップ１）。
【００２７】
自動残数計数処理が開始されると、まず制御部３９は証書収納部３１に対して計数指示を出す（ステップ２）。このとき制御部３９はすべての証書収納部３１に対して計数指示を出す。計数指示が出されると、証書収納部３１では計数動作を開始する（ステップ３）。
【００２８】
図１において、媒体背押し部１３は、自動残数計数処理が行われていないときには積載板１２より下方に退避しており、証書２を押し上げてはいない。制御部３９から計数指示が出されると、モータ２２が回転し、媒体背押し部１３のネジ部１３ｂを回転させ、押圧子１３ａを上方に移動させる。この場合モータ２２の回転量は、オペレータにより入力された補充枚数に現在の残数を加えた枚数に対応する回転量とする。なお指定の時刻に自動残数計数処理を行う場合は、モータ２２の回転量は、その時点での残数に対応する回転量とする。
【００２９】
モータ２２の回転により媒体背押し部１３の押圧子１３ａが上方に移動すると、図５に示すように、積載板１２上に積層された証書２が上方に押し上げられ、下端部２ｂの全体が積載板１２から離れて浮き上がる。このように証書２が上方に押し上げられると、証書２の下端部２ｂは自重により下方に垂れ下がり、証書２間の隙間が大きくなる。なお媒体背押し部１３の押圧子１３ａの証書２への接触位置は、証書２を押し上げた際に証書２の下端部２ｂが最も広がる位置に予め設定されている。
【００３０】
次に制御部３９はモータ１７を駆動するとともに、光学反射センサ５を駆動する。これにより光学反射センサ５は、証書２の下端部２ｂに沿って上下方向に移動しながら発光素子部５ａから下端部２ｂに対して光を照射すると共に、下端部２ｂから反射した光を受光素子部５ｂで受光する。光学反射センサ５からの出力信号は制御部３９に入力される。
【００３１】
光学反射センサ５からの出力信号は、図６に示すように、証書２間の隙間（図に示す斜線部）２ｅが大きくなっているので、隙間２ｅからの反射光を受光した場合の出力レベルが大きく下がり、その結果、証書下端部２ｂにおける証書２の部分からの反射光を受光した場合と証書２間の隙間２ｅから受光した場合とで、振幅の大きな出力波形９が得られる。振幅の大きな出力信号が、予め設定したスライスレベル７より高ければ、証書有りと認識し、スライスレベル７より低い場合は証書間の隙間と認識する。この認識に基づいて制御部３９は証書２を計数する。
【００３２】
もし、証書２同士が密着して隙間が存在していない場合は、光学反射センサ５の出力信号の振幅は小さく、スライスレベル７の設定によっては証書有りまたは隙間の認識が正確に出来ない。これに対して上述のように証書２間の隙間を確実に生じさせることにより、証書有りと隙間の認識を正確に行うことができる。
【００３３】
以上の自動残数計数処理が終了すると（ステップ４）、制御部３９は次に、予め記憶部３８に格納されている記憶値とオペレータの補充時の入力値との合計値と、上記の計数処理で計数した計数値とを比較する（ステップ５）。比較の結果、両者が一致しない場合（ステップ６）、ステップ３へ戻り、自動残数計数処理を再度行う。再度自動残数計数処理を行う場合、図５に示す媒体背押し部１３の押圧子１３ａの押し上げ量は最初の場合に対して変更し、リトライの場合は押圧子１３ａの押し上げ量を大きくする、即ち、証書２をより高く押し上げるようにする。これにより証書２間の隙間２ｅをより大きく広げることが可能となる。なお、リトライの自動残数計数処理は所定の回数だけ行われる（ステップ７）。
【００３４】
ステップ６において計数値が記憶値と入力値の合計と一致した場合、またはリトライの自動残数計数処理を所定回数行った場合、次に制御部３９は、本動作が証書補充における計数処理か又は証書の新規装填時あるいは指定の時刻における計数処理を判断し（ステップ８）、証書の新規装填時あるいは指定の時刻における計数処理である場合は、ステップ１１へ移行し、記憶部３８に新たに計数した計数値を残数として格納する。
【００３５】
証書補充における計数処理である場合、ステップ５における比較結果を操作表示部３７に表示する（ステップ９）。表示例を図７に示す。図７は比較結果の表示例を示す説明図である。図７に示すように、証書２の残数表示は証書２の種類ごとに行われ、また補充前の残数（「前残」）および今回補充した枚数（オペレータが補充枚数として入力した枚数）が分かるように表示される。オペレータはこの表示を見て補充枚数ならびに残数を確認し、間違いないことを確認した場合、「登録」キーを押下する。「登録」キーが押下されると、制御部３９は証書２の現在の収納枚数を記憶部３８に格納する（ステップ１１）。
【００３６】
図８に計数値が不一致の場合の比較結果表示例を示す。図８において、操作表示部３７には、「証書枚数の計数不一致が発生しました」という文言、計数不一致が発生した証書２の種類（「定期証書」）および計数不一致が発生した証書２を収納する収納カセット１１の番号（「Ｎｏ．１」）、補充前の残数（「前残」）、補充枚数（オペレータが補充枚数として入力した枚数）および計数結果（枚数）等が表示される。オペレータが、例えば計数不一致の発生した証書２の収納されているカセット１１内の証書２の枚数等を確認した後、「確認」キーを押下すると、制御部３９は上述のステップ３の自動残数計数処理以降の処理を行う（ステップ１２）。
【００３７】
図９は指定の時刻に自動残数計数処理を行った場合の計数結果の表示例を示す説明図である。図９において、操作表示部３７には、証書２の種類ごとに計数した枚数（「収納枚数」として表示される枚数）が表示されるとともに、本日発行した証書２の枚数が種類ごとに表示される。指定の時刻における残数計数の結果は、このようにオペレータが確認出来るようにする他に、記憶部３８に計数の時刻とともに格納されるが、さらにホストサーバ４１に送信してホストサーバ４１に保管するようにしてもよい。以上により証書２の残数を確認する動作を終了する。
【００３８】
以上の確認動作において、計数値が不一致となってリトライ動作を行う際に、媒体背押し部１３の押圧子１３ａを前回よりも高い位置に設定し直すようにしているが、本実施の形態においては、数段階に押圧子１３ａの高さを設定可能としている。したがってリトライ動作を繰り返すごとに押圧子１３ａの高さを変更することができる。
【００３９】
また本実施の形態においては、押圧子１３ａの高さを設定する際に、押し上げる証書２の大体の枚数が予め分かっている。即ち、証書２の補充を行う場合は、上述のように、補充前の残数と補充枚数としてオペレータが入力した枚数の合計が予め分かっているので、その枚数に応じて、押圧子１３ａの高さを設定することができる。例えば、枚数の少ない場合は押圧子１３ａの高さを比較的低くし、枚数の多い場合は押圧子１３ａの高さを比較的高く設定する。枚数の少ない場合は証書２の下端部２ｂにおいて証書間の隙間が広がりやすいので、比較的低い位置でも正確な計数が可能で、計数時間も短くなる。また枚数の多い場合は押圧子１３ａの高さを高くすることにより、証書２の下端部２ｂにおける隙間を確実に広げることが可能となる。
【００４０】
また、押圧子１３ａの高さを証書２の紙質の種類により変更するようにしてもよい。例えば、腰の強い紙質の場合は押圧子１３ａの高さを比較的高くし、腰の弱い紙質の場合は押圧子１３ａの高さを比較的低く設定する。
【００４１】
さらに上記３つの要因、即ち、リトライ時かどうか、枚数および紙質の種類を総合的に判断して押圧子１３ａの高さを設定するようにしてもよい。
【００４２】
以上のように第１の実施の形態においては、光学反射センサ５により証書２の枚数を計数する際に、媒体背押し部１３により証書２を押し上げ、証書２の下端部２ｂにおける証書２間の隙間を大きくするので、計数を確実に行うことができる効果が得られる。また、積層されている証書２間の隙間を広げることにより、証書２をホッピングローラ２５等で繰出す場合に、二重繰出しを防止できるという効果も得られる。
【００４３】
次に第２の実施の形態を説明する。図１０は第２の実施の形態の証書発行装置を示す概略側面図である。図１０において、第２の実施の形態の証書発行装置５０には、上記第１の実施の形態の証書発行装置と同様に、センサ駆動部１８および媒体背押し駆動部２０が設けられ、センサ駆動部１８には光学反射センサ５が設けられ、媒体背押し駆動部２０には媒体背押し部１３が設けられている。
【００４４】
センサ駆動部１８および媒体背押し駆動部２０は、カセット１１の側壁１１ｂ、１１ｃの下部の間に設けられたシャフト５１に装着されており、シャフト５１に沿って移動可能となっている。センサ駆動部１８はカセット１１の底板１１ａの下部に対して所定の摩擦負荷が発生するように構成され、その摩擦負荷以上の力でシャフト５１に沿って押されると移動し、押す力が除去されるとその位置で停止するように構成される。媒体背押し駆動部２０も同様に、カセット１１の底板１１ａの下部に対して所定の摩擦負荷が発生するように構成され、その摩擦負荷以上の力でシャフト５１に沿って押されると移動し、押す力が除去されるとその位置で停止するように構成される。
【００４５】
シャフト５１には、センサ駆動部１８と媒体背押し駆動部２０の間にスプリング５２ａが嵌装され、媒体背押し駆動部２０とカセット１１の側壁１１ｃとの間にスプリング５２ｂが嵌装されている。スプリング５２ａ、５２ｂは所定の押圧力に設定されており、オペレータがセンサ駆動部１８を矢印Ａ方向に移動させると、押圧力がスプリング５２ａを介して媒体背押し駆動部２０に伝わり、媒体背押し駆動部２０も同方向に移動する。センサ駆動部１８に対する押圧力を除去すると、除去したときの位置でセンサ駆動部１８および媒体背押し駆動部２０が停止する。
【００４６】
また証書２を積層する積載板１２に形成される切欠き孔１２ｄは、図１１に示すように、第１の実施の形態のそれより矢印Ａ−Ｂ方向に大きく形成されている。これにより媒体背押し部１３が矢印Ａ−Ｂ方向に移動しても、その押圧子１３ａが切欠き孔１２ｄに進入可能である。なお図１１は第２の実施の形態の積載板を示す平面図である。その以外の構成は前記第１の実施の形態と同様である。
【００４７】
次に第２の実施の形態の動作を説明する。ここでは第１の実施の形態と同様に自動残数計数処理を説明し、説明に当たっては第１の実施の形態で使用した図面を随時使用する。図１０において、媒体背押し部１３は、自動残数計数処理が行われていないときには積載板１２より下方に退避しており、証書２を押し上げてはいない。
【００４８】
積載板１２上に積層されている証書２の矢印Ａ−Ｂ方向の長さに応じて、センサ駆動部１８の位置および媒体背押し駆動部２０の位置は、オペレータにより適切な位置に合わせてある。具体的には、証書２の長さが短い場合には、センサ駆動部１８および媒体背押し駆動部２０は矢印Ａ側に移動させられており、証書２の長さが長い場合には、センサ駆動部１８および媒体背押し駆動部２０は矢印Ｂ側へ移動されている。
【００４９】
制御部３９から計数指示が出されると、モータ２２が回転し、媒体背押し部１３のネジ部１３ｂを回転させ、押圧子１３ａを上方に移動させる。この場合モータ２２の回転量は、オペレータにより入力された補充枚数に現在の残数を加えた枚数に対応する回転量とする。なお指定の時刻に自動残数計数処理を行う場合は、モータ２２の回転量は、その時点での残数に対応する回転量とする。
【００５０】
モータ２２の回転により媒体背押し部１３の押圧子１３ａが上方に移動すると、図５に示すように、積載板１２上に積層された証書２が上方に押し上げられ、下端部２ｂの全体が積載板１２から離れて浮き上がる。このように証書２が上方に押し上げられると、証書２の下端部２ｂは自重により下方に垂れ下がり、証書２間の隙間が大きくなる。媒体背押し部１３は証書２の長さに応じて適切な位置に設定されているので、押圧子１３ａの証書２への接触位置は、証書２を押し上げた際に証書２の下端部２ｂが最も広がる位置となる。
【００５１】
次に制御部３９はモータ１７を駆動するとともに、光学反射センサ５を駆動する。これにより光学反射センサ５は、証書２の下端部２ｂに沿って上下方向に移動しながら発光素子部５ａから下端部２ｂに対して光を照射すると共に、下端部２ｂから反射した光を受光素子部５ｂで受光する。光学反射センサ５からの出力信号は制御部３９に入力される。
【００５２】
光学反射センサ５からの出力信号は、第１の実施の形態と同様に、図６に示すように、証書下端部２ｂにおける証書２の部分からの反射光を受光した場合と証書２間の隙間２ｅから受光した場合とで、振幅の大きな出力波形９が得られる。振幅の大きな出力信号が、予め設定したスライスレベル７より高ければ、証書有りと認識し、スライスレベル７より低い場合は証書間の隙間と認識する。この認識に基づいて制御部３９は証書２を計数する。
【００５３】
上記第２の実施の形態では、センサ駆動部１８および媒体背押し駆動部２０を手動で移動させるものとしたが、モータおよびスクリューシャフトを使用してそれぞれ個別に移動可能としてもよい。このように構成すれば、証書２の長さを入力するかあるいは長さを検出する手段を設けて、証書２の長さに応じて、センサ駆動部１８および媒体背押し駆動部２０を自動的に適切な位置に位置付けることが可能である。さらに、媒体背押し部１３を移動させる場合、証書２の長さのみでなく、第１の実施の形態で述べた、リトライ時かどうか、枚数および紙質の種類に基づいて、媒体背押し部１３の位置を移動させるようにしても良い。
【００５４】
またセンサ駆動部１８上に設けられる光学反射センサ５を、図１１における矢印Ｃ−Ｄ方向に移動可能にし、光学反射センサ５からの出力信号が最も良好な出力信号となる位置で枚数の計数を行うようにしてもよい。
【００５５】
以上のように第２の実施の形態によれば、第１の実施の形態の奏する効果に加えて、媒体背押し部１３を移動可能にして証書２を押し上げる位置を変更可能にしたので、証書２の長さあるいは枚数等に応じて適切な位置で証書２を押し上げることが可能となり、証書２の多様性に対応することができる。
【００５６】
なお上記各実施の形態では証書の枚数を計数する装置において説明したが、計数する媒体はこれに限られず、帳票等他の媒体を計数する装置にも本発明を適用可能であることはいうまでもない。
【図面の簡単な説明】
【００５７】
【図１】第１の実施の形態の証書発行装置を示す概略側面図である。
【図２】第１の実施の形態の積載板を示す平面図である。
【図３】第１の実施の形態の証書発行装置の概略構成を示すブロック図である。
【図４】第１の実施の形態の動作を示すフローチャートである。
【図５】第１の実施の形態の動作を示す動作説明図である。
【図６】第１の実施の形態の動作を示す動作説明図である。
【図７】比較結果の表示例を示す説明図である。
【図８】比較結果の表示例を示す説明図である。
【図９】指定の時刻に自動残数計数処理を行った場合の計数結果の表示例を示す説明図である。
【図１０】第２の実施の形態の証書発行装置を示す概略側面図である。
【図１１】第２の実施の形態の積載板を示す平面図である。
【図１２】従来の媒体計数装置を示す説明図である。
【図１３】従来の計数方法を示す説明図である。
【符号の説明】
【００５８】
２    証書（媒体）
５    光学反射センサ
６    アッパ部材
１０    証書発行装置
１３    媒体背押し部
１３ａ  押圧子
１８    センサ駆動部
２０    媒体背押し駆動部
【図１】
2007293710.tif 000003
【図２】
2007293710.tif 000004
【図３】
2007293710.tif 000005
【図４】
2007293710.tif 000006
【図５】
2007293710.tif 000007
【図６】
2007293710.tif 000008
【図７】
2007293710.tif 000009
【図８】
2007293710.tif 000010
【図９】
2007293710.tif 000011
【図１０】
2007293710.tif 000012
【図１１】
2007293710.tif 000013
【図１２】
2007293710.tif 000014
【図１３】
2007293710.tif 000015